(57)【要約】【課題】観光旅行における観光活動が健康改善・増進にどのような効果があるのかを、医学的あるいは栄養学的に評価ができる観光評価方法、及びそのプログラム、及びそれらを用いた健康保養型観光旅行方法を及び、そのような観光旅行に適したレシピ提供システムを提供することを課題とする。【解決手段】観光活動を運動量、栄養量、ストレス開放量など健康指標となる要素として分類して計測し、観光活動の前後での健康状態を比較・分析することにより、観光活動の各要素が健康改善・増進に及ぼす効果について、医学・栄養学的に数値評価する観光評価方法であり、また、健康診断を行い、健康状態を検査し、旅行時に必要となる運動量と栄養量を算出し、それらに適応した観光旅行を計画し、必要運動量に適応した観光活動を行い、必要栄養量に適応した郷土料理を食することを特徴とする健康保養型観光旅行方法である。【選択図】      図１
2004252604.tif 000002
【特許請求の範囲】
【請求項１】
観光活動を運動量、栄養量、ストレス開放量など健康指標となる要素として分類して計測し、観光活動の前後での健康状態を比較・分析することにより、観光活動の各要素が健康改善・増進に及ぼす効果について、医学・栄養学的に数値評価することを特徴とする観光評価方法。
【請求項２】
コンピュータを用いて、観光活動を運動量、栄養量、ストレス開放量など健康指標となる要素データとして格納する観光要素データ格納手段と、観光活動の前後での健診データを格納する健診データ格納手段と、該観光要素データと健診データとを比較・換算し、健康増進データを算出するための観光分析手段とし、観光活動を医学・栄養学的に健康指標として数値評価するための観光評価手段として機能させるためのプログラム。
【請求項３】
旅行による休養により健康を増進させるための健康保養型の観光旅行において、
健康診断を行い、健康状態を検査し、旅行時に必要となる運動量と栄養量を算出し、算出した必要運動量と必要栄養量に適応した観光旅行を計画し、該観光旅行において、必要運動量に適応した観光活動を行い、必要栄養量に適応した郷土料理を食することを特徴とする健康保養型観光旅行方法。
【請求項４】
前記の観光旅行の計画において、観光旅行における各種の観光活動に対する基準運動量を計測し、データベース化し、該データベースを用いて、前記の必要運動量と各観光活動に対する基準運動量とを照合することで観光活動を選定することを特徴とする請求項３に記載の健康保養型観光旅行方法。
【請求項５】
前記の観光旅行の計画において、観光旅行における各種の郷土料理に対する基準栄養量を計測し、データベース化し、該データベースを用いて、前記の必要栄養量と各郷土料理に対する基準栄養量とを照合することで観光地を選定することを特徴とする請求項３または請求項４に記載の健康保養型観光旅行方法。
【請求項６】
前記の健康診断において、ストレス状態の計測を行ない、ストレス蓄積量を計測し、必要となるストレス開放量を算出し、該ストレス開放量に適応した観光活動を選定し、必要ストレス開放量に適応した観光活動を行うことを特徴とする請求項３から請求項５までのいずれかの項に記載の健康保養型観光旅行方法。
【請求項７】
前記の観光活動の選定において、各種の観光活動に対する基準ストレス開放量を計測し、データベース化し、該データベースを用いて、前記の必要ストレス開放量と各観光活動に対する基準ストレス開放量とを照合することで観光活動を選定することを特徴とする請求項６に記載の健康保養型観光旅行方法。
【請求項８】
端末装置から通信ネットワークを介して入力された、料理に対する特定情報に基づいて、ホストコンピュータが該特定情報を解析し、適応する料理を選定し、そのレシピ情報を作成し、送信要求のあった料理提供施設に対し、作成したレシピ情報、及び送信要求者情報を送信することを特徴とするレシピ提供システム。
【発明の詳細な説明】
【０００１】
【発明の属する技術分野】
本発明は、観光旅行における観光活動が健康改善・増進に及ぼす効果について医学・栄養学的に数値評価することができる、観光評価方法及びそのプログラム及びそれらを用いた健康保養型観光旅行方法およびその観光旅行に適応した、レシピ提供システムに関する。
【０００２】
【従来の技術】
従来より、旅行による休養により健康を増進させるための健康保養型の観光旅行として温泉などへの保養旅行や療養旅行が行われている。
【０００３】
例えば、特開平１３−１７５６７１号などでは、健康状態に関する問診表から、利用者に最適な温泉療養施設を選択することができる温泉療養検索システムが開示されている。また、特開平１３−３１９００７号では、病状及び食事制限のアンケート情報から、より簡易にして、かつ最適な温泉療養を紹介することができる温泉療養紹介システムが開示されている。
【０００４】
【発明が解決しようとする課題】
このように、保養・療養旅行などでは、健康改善・増進効果がはっきりしている、温泉旅行などに限られたものとなっていた。しかしながら、一般的な観光旅行などにおいても、心身の休養により健康を増進させる効果が期待できることもはっきりしているが、観光に関しては、従来より、健康な観光旅行者を対象としたものが中心であり、その観光客の趣味、嗜好にいかに対応した観光メニューを提供できるかが、観光評価の対象であった。
【０００５】
例えば、観光ガイドに観光スポットの評価情報として星印の数などで表示することが行われている。この場合には、編集者の一方的な評価であり、趣味・嗜好が多様化している近年においては、評価が合わないことも少なくない。また、特開平１０−２４７２１３号などでは、利用者のプロフィールなどから観光スポットが適している度合である適合スコア（評価データ）を算出し、適合スコアが高い観光スポットを数多く巡ることができるように観光ルートを選択できる観光案内情報提供装置が提案されている。
【０００６】
また、特開平１４−３７３１９４号では、観光価値要因として気象要素や視界良好度なども用い、金銭的な不満も含めた満足度から評価情報を算出し、不満を低減できる観光情報提供方法が提案されている。
【０００７】
このように、観光に対する評価方法としては、観光旅行者の趣味・嗜好に対する評価のみであり、観光旅行における観光活動について、医学的あるいは栄養学的、運動学的な見地から分析、評価されたことはなかった。また、健康保養型観光旅行として療養、保養旅行は従来からあるが、医学や栄養学面に関して十分な分析を行うことのできる旅行に対する評価方法はなかった。
【０００８】
また、このような健康保養型観光旅行における食事の問題として食事制限や食事療法に対応した宿泊施設の問題があった。このような制限食は、病状によってことなるため、宿泊施設に専門の栄養士が必要であるが、その対策として、特開平１４−１３２８９０号では、インターネットを用いて献立の提供をできるようにした献立提供システムが提案されている。しかしながら、観光旅行先での飲食に対応したレシピはない。
【０００９】
本発明は、上記のような問題点に鑑みてなされたものであり、観光旅行における観光活動が健康改善・増進にどのような効果があるのかを、医学的あるいは栄養学的に十分な評価ができる観光評価方法、及びそのプログラム、及びそれらを用いた健康保養型観光旅行方法を提供すること。また、そのような観光旅行に適したレシピ提供システムを提供することを課題とする。
【００１０】
【課題を解決するための手段】
上記の問題を解決するために、請求項１に記載の発明では、観光活動を運動量、栄養量、ストレス開放量など健康指標となる要素として分類して計測し、観光活動の前後での健康状態を比較・分析することにより、観光活動の各要素が健康改善・増進に及ぼす効果について、医学・栄養学的に数値評価することを特徴とする観光評価方法である。
【００１１】
該観光活動とは、観光旅行において、その出発から帰宅までの旅行日程全ての行動における種々の活動のことであり、健康指標となる要素とは、観光活動の中で健康に影響するパラメータとなる要素のことであり、移動やスポーツ、技芸などに伴う運動量や観光地における飲食における栄養量や観光見学、スポーツ、技芸などによるストレス開放量などである。また、健康に影響する気候条件や美容などを要素としても良く、健康に良好な影響を及ぼす要素であればいずれでも良い。
【００１２】
該観光活動の前後での健康状態の比較・分析は、観光旅行前の健康状態と観光旅行後の健康状態を比較できるものであれば良く、健康状態を定量的に計測できるものであれば良く、一般的な健康診断などで良い。この健康状態の比較結果と健康指標となる各要素の計測量との関係を分析することにより、科学的なデータとして医学的あるいは栄養学的に評価することが可能となる。
【００１３】
請求項２に記載の発明では、コンピュータを用いて、観光活動を運動量、栄養量、ストレス開放量など健康指標となる要素データとして格納する観光要素データ格納手段と、観光活動の前後での健診データを格納する健診データ格納手段と、該観光要素データと健診データとを比較・換算し、健康増進データを算出するための観光分析手段とし、観光活動を医学・栄養学的に健康指標として数値評価するための観光評価手段として機能させるためのプログラムである。
【００１４】
この観光要素格納手段は、計測された健康指標となる各要素データを格納するデータデースなどである。また、健診データ格納手段は、観光活動の前後の健康状態の計測データを格納するためのデータベースなどである。該観光分析手段は、前記の両データベースから観光要素データと旅行前後の健診データを照合、比較し、どの要素が健康改善・増進に効果があるのかを抽出し、どの観光活動がどの程度の健康・増進効果があるのかを算出するものであり、これらの手段により、医学・栄養学的に数値評価するための観光評価手段として機能させるプログラムである。
【００１５】
請求項３に記載の発明では、旅行による休養により健康を増進させるための健康保養型の観光旅行において、健康診断を行い、健康状態を検査し、旅行時に必要となる運動量と栄養量を算出し、算出した必要運動量と必要栄養量に適応した観光旅行を計画し、該観光旅行において、必要運動量に適応した観光活動を行い、必要栄養量に適応した郷土料理を食することを特徴とする健康保養型観光旅行方法。
【００１６】
該健康診断は、観光旅行の出発前の基準となる健康状態を調べるものであり、体温、血圧、心電図、血液検査、胸部レントゲンなどの一般的な健診事項と、観光旅行者固有の病状などである。ここでの健康状態から観光旅行者の旅行時において必要となる運動量と栄養量を算出する。
【００１７】
該運動量は、１日に必要となる運動量、あるいは、１週間単位などの一定期間内に必要となる運動量としても良い。また、該栄養量は、各栄養成分ごとの必要摂取量などであり、１日に必要となる摂取量、あるいは、１週間単位などの一定期間内に必要な栄養量でも良い。また、糖尿病やアトピーなどの食事制限中の場合などでは、塩分やたんぱく質量を設定する。
【００１８】
ここで必要運動量に適応した運動量を消費する観光活動を選択し、必要栄養量に適応した栄養量を有する郷土料理を選択し、旅行計画を立てて観光旅行を行う。  これにより、観光旅行者の健康増進目的に適応した健康保養型観光旅行を実現でき、生活習慣病やアトピーなどの食事制限を必要とする場合にも対応できる。
【００１９】
請求項４に記載の発明では、前記の観光旅行の計画において、観光旅行における各種の観光活動に対する基準運動量を計測し、データベース化し、該データベースを用いて、前記の必要運動量と各観光活動に対する基準運動量とを照合することで観光活動を選定することを特徴とする健康保養型観光旅行方法である。
【００２０】
該基準運動量は、ひとつの観光メニューに対して、平均的な運動手順によって行われた運動に対して、計測した運動量の平均値の運動量であり、年齢別、性別、体重、身長などにより異なる基準運動量が設定される。また、データベースへの運動量の蓄積により、随時、基準運動量が更新され、より的確に対応したデータとなる。
【００２１】
請求項５に記載の発明では、前記の観光旅行の計画において、観光旅行における各種の郷土料理に対する基準栄養量を計測し、データベース化し、該データベースを用いて、前記の必要栄養量と各郷土料理に対する基準栄養量とを照合することで観光地を選定することを特徴とする健康保養型観光旅行方法である。
【００２２】
該基準栄養量は、ひとつの料理メニューに対して、栄養分析した結果を平均したものであり、料理の素材が時期により栄養成分が変化するため、時期別、また素材構成別に異なる栄養量が設定される。栄養量として、抗酸化度などを設定しても良い。また、素材の産地により栄養価を設定しても良い。また、データベースへの栄養量の蓄積により、随時、基準栄養量が更新される。
【００２３】
請求項６に記載の発明では、前記の健康診断において、ストレス状態の計測を行ない、ストレス蓄積量を計測し、必要となるストレス開放量を算出し、該ストレス開放量に適応した観光活動を選定し、必要ストレス開放量に適応した観光活動を行うことを特徴とする健康保養型観光旅行方法である。
【００２４】
該ストレス状態の測定は、ストレスを定量的に計測できるものであればいずれの方法でも良い。例えば、特開平７−３１３４９４号（ストレス計測装置：心身の緊張状態の変化から自律神経を司る中枢の反応をストレスとして計測）や、特開平１２−２３７１４６号（ストレス計測装置：ストレスを付加し、複数の生理量の変化をストレスとして計測）や、特開平１−０１９１２２号（ストレス計測装置：身体に７つの電極を設け、生体電子的応答をストレスとして計測）などが開示されており、近年では、唾液からストレスホルモンであるコルチゾルを定量計測したものなどいずれの装置でも良い。標準的なストレス状態の人を基準として比較データを計測できるものであれば良い。
【００２５】
請求項７に記載の発明では、前記の観光活動の選定において、各種の観光活動に対する基準ストレス開放量を計測し、データベース化し、該データベースを用いて、前記の必要ストレス開放量と各観光活動に対する基準ストレス開放量とを照合することで観光活動を選定することを特徴とする請求項６に記載の健康保養型観光旅行方法。
【００２６】
該基準ストレス開放量は、ひとつの観光メニューに対して、計測したストレス量の平均値のストレス開放量であり、大きくは年齢別、性別などにより異なるが、基本的には個人毎に基準ストレス解放量が設定される。また、データベースへのストレス開放量の蓄積により、随時、基準ストレス解放量が更新され、各個人に適応したより正確なデータとなる。
【００２７】
請求項８に記載の発明では、端末装置から通信ネットワークを介して入力された、料理に対する特定情報に基づいて、ホストコンピュータが該特定情報を解析し、適応する料理を選定し、そのレシピ情報を作成し、送信要求のあった料理提供施設に対し、作成したレシピ情報、及び送信要求者情報を送信することを特徴とするレシピ提供システム。
【００２８】
該端末装置は、観光旅行者または、その主治医側に設置されるパソコンなどのインターネット接続可能な端末装置などである。携帯端末装置でも良い。
【００２９】
該特定情報は、上記の端末装置から入力される、希望の料理に対する特定条件などであり、特定の料理を指定する場合や、特定の料理素材を指定する場合や、食事制限の場合の医師からの制限条件を指定する場合などである。
【００３０】
該レシピ情報は、詳細な献立メニューであり、その素材の種別、使用量、栄養量、調理方法などである。また、予め、料理提供施設から独自の郷土料理などをホストコンピュータに登録しておき、観光旅行者の希望により、制限食に調整したレシピを作成しても良い。
【００３１】
また、レシピ情報に示した献立メニュー以外のものを飲食した場合や、過剰に摂取した場合に、その摂取した飲食物の情報をホストコンピュータに送信することにより、必要栄養量との差分を修正した変更レシピ情報を送信要求のあった料理提供施設に変更情報として送信するようにしても良い。
【００３２】
【発明の実施の形態】
本発明の実施の形態について図面を用いて説明する。
図１は、本発明による観光評価方法を示すブロック図である。
【００３３】
観光活動Ａについて、観光評価を行う場合について説明する。観光活動Ａについて、運動量の計測１と、栄養量の計測２と、ストレス開放量の計測３の３種類の健康指標となる要素の計測を行う。
【００３４】
該運動量は、観光活動におけるスポーツ量や歩行距離などをカロリー数で計測したデータである。例えば、体重６０ｋｇの人が１０分間テニスをすると、約６７キロカロリー消費される。また、歩行では、同様に１０分では約４６キロカロリーとなる。
【００３５】
該栄養量は、観光活動における飲食により摂取される栄養量であり、カロリー数で計測したデータである。例えば、朝食の場合などでは、ご飯、海苔、卵、味噌汁、豆腐、納豆、アジの干物、白菜漬物では、約６３０カロリーとなる。
【００３６】
該ストレス開放量は、すなわち、ストレスの蓄積量であり、ストレスが蓄積されていなければ、開放量もゼロである。近年、ストレス計測手段及び計測装置が多数開発されており、それらの機器の測定範囲を基準として、１〜１００のメモリを設定して、その計測結果として現れた数値をストレス開放量とすることができる。同じ計測装置を使用して観光活動前後で測定することで相対的な比較データを入手することが可能である。
【００３７】
次に、計測した運動量、栄養量、ストレス開放量から各基準値を算出４する。基準値は、複数回の計測結果における標準値を算出するものであり、計測回数が多いほど信頼性が高まることとなる。算出した各要素の基準値は、基準値データベース５に格納する。
【００３８】
他方、観光活動の前後において、健康診断（健診）６，７を行い、それらの比較データを算出８する。観光活動によって、健康改善・増進効果が得られたかどうかを調べる。該健診は、身長、体重、視力、聴力、胸部エックス線検査、血圧測定、貧血検査、肝機能検査、血中脂質検査、血糖検査、尿検査、心電図検査など、一般的な健診項目と、個別の病状検査など必要と思われる項目について行う。比較データは、健診情報データベース９に格納する。
【００３９】
観光活動に対して、上記の基準要素ＤＢ５と健診情報ＤＢ９を用いて各健康指針となる３つの要素（運動量、栄養量、ストレス開放量）の分析１０を行い、観光活動に対する評価を行う。観光活動後の検診結果６，７により、健康改善された項目が上記の３要素とどのような関係があるかを分析することができる。例えば、Ａという観光活動後の健診の結果において、肝機能の改善が見られた場合に、そのＡという観光活動において、運動量と栄養量は、他の観光活動と変わらないが、ストレス開放量が他の観光活動の基準値より高い値であった場合には、この観光旅行者は、ストレス開放効果によって肝機能が改善されたことがわかり、今後の治療などに活用することができる。
【００４０】
観光活動の分析結果は、評価情報データベース１１に格納され、次回の分析や今後の健康改善治療などに活用できる。
【００４１】
次に本発明による健康保養型観光旅行方法について説明する。図２は、本発明による健康保養型観光旅行方法の手順を示すブロック図である。
【００４２】
この健康保養型観光旅行方法においては、最初に健診２１を行い、健康状態を調査する。これにより、旅行参加者が旅行中に必要とされる健康指標となる各要素としての必要運動量の算出２２と、必要栄養量の算出２３と、必要ストレス開放量の算出２４を行う。
【００４３】
次にこれらの各必要要素量から、観光活動を選定して旅行計画を作成２７する。必要運動量に対しては、基準要素ＤＢ２６から該必要運動量に適合した基準運動量となるデータを検索し、その観光行動を抽出する。抽出した観光活動に関する情報を観光情報ＤＢ２５から検索して、その観光行動に対する詳細な情報を入手し、旅行計画を作成２７する。
【００４４】
ここで、作成した旅行計画の疑似体験としてコンピュータを用いてシュミレーションできるようにすることもできる。疑似体験により、問題点を事前に修正することが可能であり、より安心な健康保養型観光旅行となる。また、オプションツアーなどの事前予約も可能である。
【００４５】
作成した旅行計画に従って観光行動２８及びそれに伴う飲食２９を行い、観光旅行を実行する。該観光行動２８と飲食２９については、その基準値を計測し、基準要素ＤＢ２６にフィードバックする。また、ＧＰＳを用いた携帯端末やＰＨＳなどで現在位置確認を行い、旅行計画に従ってそれらのモニターに地図などを表示してナビゲーションするようにしても良い。また、手首などの身体部に装着できる生体センサーを用いて、運動量やストレス量をリアルタイムに計測して通信手段でフィードバックさせるようにしても良い。
【００４６】
また、ツアースタッフの支援用として、旅行計画や予約情報や参加者情報などのスタッフ用データベースを構築し、各種の参加者の要望、変更に即時対応できるようにし、より安全な観光旅行が行えるようにしても良い。
【００４７】
観光旅行終了後に健診３０を行い、旅行前の健診２１と比較検討し、健康改善・増進効果について評価３１する。ここで、旅行計画における観光メニューがどのような健康改善・増進に寄与しているかを調べることが可能となり、各種の観光活動に対して運動量、栄養量、ストレス開放量の面から分析した、医学的・栄養学的な側面からの定量的な数値評価が可能となる。
【００４８】
本実施の形態においては、健康指針となる要素として運動量、栄養量、ストレス開放量を設定したが、他の要素を加えても良く、例えば、気温、湿度などの環境要素や、美容要素などでも良い。また、詳細に分析できるように、運動量を細分化して、スポーツによる運動量と歩行による運動量とに分けて分析できるようにしても良い。
【００４９】
また、本実施の形態では、各観光活動がどのような健康改善・増進効果を有するのかについて評価を行ったが、さらに詳細に分析することで、各個人毎にどの観光活動がどのような健康改善・増進効果を発揮するかを評価することも可能である。
【００５０】
次に、上記の健康保養型観光旅行に適したレシピ提供システムについて説明する。このレシピ提供システムは、健康保養型観光旅行において、健康指針となる要素のひとつである、必要栄養量を的確に摂取できるようにするものであり、特に食事制限が必要な旅行者にとって非常に有効である。
【００５１】
このシステムは、インターネット４７により互いに接続される、利用者（旅行者）端末装置４１と、ホテルのレストランに設置される端末装置４４と、ホストコンピュータ４８により構成される。
【００５２】
利用者端末４１は、パソコンや携帯端末などのインターネット接続可能な端末装置であり、各種の要望条件などからなる特定情報を入力するための入力部４２と、内容を確認するための表示部４３を有する。レストランの端末装置４４は、レシピの表示を行うための表示部４５と、レシピを印字するためのプリンターなどの印刷部４６を有する。
【００５３】
該ホストコンピュータ４８は、利用者端末４１から送信されてくる特定情報に基づいて適切なレシピ情報を作成するためのレシピ処理部４９と、料理情報デーベース５３と、レシピ情報データベース５４と、個人情報データベース５５とを有する。
【００５４】
該レシピ処理部４９は、利用者からの特定情報を解析するための特定情報解析部５０と、その解析結果により適切な料理を選定するための料理選定部５１と、解析結果を元に選定された料理を調理するためのレシピ情報を作成するためのレシピ作成部５２とが設けられている。
【００５５】
該料理情報ＤＢ５３は、各種の料理情報が格納されているデータベースであり、レシピ情報ＤＢ５４は、上記のレシピ作成部５２で作成されたレシピ情報が格納されているデータデースであり、個人情報ＤＢ５５は、利用者の個人情報が格納されたデータベースである。
【００５６】
このように構成されたレシピ作成システムは、以下のように機能する。すなわち、利用者が特定情報と個人情報を端末装置４１の入力部４２から入力し、ホストコンピュータ４８に送信する。該特定情報は、例えば、観光地における希望の食材や郷土料理などの希望条件や、食事制限を必要とする場合などの制限条件や、前記の健康保養型観光旅行方法における健診から算出される必要栄養量などである。個人情報は、利用者の氏名、住所などの個別情報と、食事制限の有無、病状、留意点などの健康関連情報などである。
【００５７】
ホストコンピュータ４８では、上記の特定情報を受信し、レシピ処理部４９の特定情報解析部５０において、特定情報を解析し、料理選択に必要な選定条件を抽出する。この選定条件に従い、料理選定部５１が料理情報ＤＢ５３から適合する料理を検索し、その詳細な料理情報を抽出する。
【００５８】
抽出された、料理情報から前記の特定情報に従ってレシピ作成部５２においてレシピ情報が作成される。また、食事制限の場合においては、レシピ情報ＤＢ５４に予め格納されている、各種の制限食レシピ情報を抽出して、制限条件、希望条件を調整してレシピが作成される。
【００５９】
作成されたレシピ情報は、レストランの端末装置４４に送信され、表示部４５で確認され、印刷部４６でプリントされる。
【００６０】
このように、利用者の要望により、健康保養型観光旅行を快適に過ごすことが可能となる。従来の観光旅行においては、食事制限の必要な旅行者は、旅行中絶えず、カロリー計算をしながら、飲食を行わなければならないという煩わしさがあったが、このレシピ提供システムにより、面倒がなく、安心して飲食を行うことが可能となる。
【００６１】
また、観光中に飲食を行った場合など、レシピ以外の飲食を行った場合には、ホストコンピュータにその飲食情報を送信することで、設定された栄養量を超えた場合には、その後の食事のレシピを変更処理し、変更後のレシピ情報がレストランに送信される。携帯端末などを使用し、旅行中の飲食について、ホストコンピュータに飲食情報を逐次、送信できるようにすると良い。
【００６２】
【発明の効果】
以上詳細に説明した本発明では、以下に示すような効果がある。
【００６３】
１）観光を運動量、栄養量、ストレス開放量などの健康指針となる要素として認識することにより、観光活動における健康改善・増進効果を、医学、栄養学面から十分な評価、検討ができる。
【００６４】
２）コンピュータを用いた観光評価プログラムが実現できる。
【００６５】
３）各観光行動ごとに、どのような健康改善・増進効果があるのかを調べることができる。
【００６６】
４）観光旅行で健康改善・増進を実現できる。
【００６７】
５）健康改善・増進効果のある観光活動を選択して観光旅行を行うことができる。
【００６８】
６）食事制限を必要とする場合において、観光地及び観光メニューの選択範囲が広がる。
【００６９】
７）運動量を考慮した観光旅行を実現できる。
【００７０】
８）栄養量を考慮した観光旅行を実現できる。
【００７１】
９）ストレス開放を考慮した観光旅行を実現できる。
【００７２】
１０）レシピ提供システムにより、食事制限の場合おいても、栄養量を気にする必要がなく、自分でカロリー計算などを行う必要もなく、安心して飲食を行うことができる。
【００７３】
１１）食事制限が必要な場合においても、飲食提供施設に栄養士などの専門家を必要としない。
【００７４】
このように、従来の保養旅行などとは異なり、新しい健康保養型の観光旅行が可能となり、観光に対して医学的、栄養学的に十分な評価を行うことが可能な健康保養型観光旅行方法を提供できる。
【図面の簡単な説明】
【図１】本発明による観光活動の評価方法を示すブロック図である。
【図２】本発明による健康保養型観光旅行方法の実施例を示すブロック図である。
【図３】本発明によるレシピ提供システムの実施例を示す構成図である。
【符号の説明】
１  運動量計測
２  栄養量計測
３  ストレス開放量計測
４  基準値算出
５  基準要素データベース
６  観光前健診情報
７  観光後検診情報
８  比較値算出
９  健診情報データベース
１０  分析
１１  評価情報データベース
２１  健診
２２  必要運動量算出
２３  必要栄養量算出
２４  必要ストレス開放量算出
２５  観光情報データベース
２６  基準要素データベース
２７  旅行計画作成
２８  観光行動
２９  飲食
３０  健診
３１  評価
４１  利用者端末装置
４２  入力部
４３  表示部
４４  レストラン端末装置
４５  表示部
４６  印刷部
４７  インターネット
４８  ホストコンピュータ
４９  レシピ処理部
５０  特定情報解析部
５１  料理選定部
５２  レシピ作成部
５３  料理情報デーベース
５４  レシピ情報データベース
５５  個人情報データベース
【図１】
2004252604.tif 000003
【図２】
2004252604.tif 000004
【図３】
2004252604.tif 000005